(57)【要約】【課題】ファン支持台の強度を高くし共振周波数も高くする。【解決手段】送風ファン３２０を取り付けるファン支持台５００の一対の支持柱５３０の柱部５３１と上アーム部５３２の間、柱部５３１と下アーム部５３３の間にそれぞれ第１補助具５５０を固着し、各柱部５３１の背面に第２補強具５６０を固着し、一対の柱部５３１の上部の相互間及び下部の相互間をそれぞれ第３補強具で固定する。【選択図】図４
2019148365.tif 000002
【特許請求の範囲】
【請求項１】
内部が送風機室と機械室に区画された筐体と、前記送風機室に配置される熱交換器と、前記送風機室内で前記熱交換器の前面に配置される送風ファンと、該送風ファンを支持するよう前記送風機室内に配置されるファン支持台と、を備えた空気調和機の室外機において、
前記ファン支持台は、一対の支持柱と、該一対の支持柱の間に架け渡されるモータ取付板と、該モータ取付板に取り付けられ前記送風ファンが軸支されるモータと、前記一対の支持柱を前記熱交換器に固定する保持板と、を備え、
前記各支持柱は、柱部と、該柱部の上部に円弧部を介して形成され前記保持板によって前記熱交換器の上部に固定される上アーム部と、前記柱部の下部に円弧部を介して形成され前記筐体の底面板に固定される下アーム部とを備え、
前記柱部と前記上アーム部との間に前記柱部に対して斜めとなるように第１補強具が架け渡されて固定され、
前記柱部に前記柱部の長さ方向に沿って第２補強具が固定されている、
ことを特徴とする空気調和機の室外機。
【請求項２】
請求項１に記載の空気調和機の室外機において、
前記柱部と前記下アーム部との間に前記柱部に対して斜めとなるように前記第１補強具と同一形状の別の第１補強具が架け渡されて固定されていることを特徴とする空気調和機の室外機。
【請求項３】
請求項１又は２に記載の空気調和機の室外機において、
前記第１補強具は両端に位置決め部を有する長尺形状に形成され、前記支持柱に前記第１補強具の前記位置決め部に対応した位置決め受部が形成されていることを特徴とする空気調和機の室外機。
【請求項４】
請求項１乃至３のいずれか１つに記載の空気調和機の室外機において、
前記支持柱の前記柱部と前記第２補強具は、平面部と該平面部の両側から同じ方向に立ち上がる立面部を有し、前記支持柱の前記柱部の前記平面部と前記第２補強具の前記平面部の一方に開口が形成され、他方に該開口に係合する切り起し爪が形成され、前記切り起し片が前記開口に係合することで前記支持柱の平面部と前記第２補強具の平面部が互いに接合することを特徴する空気調和機の室外機。
【請求項５】
請求項４に記載の空気調和機の室外機において、
１組とした前記開口と前記切り起し爪は、互いに離れた位置に複数組が形成されていることを特徴とする空気調和機の室外機。
【請求項６】
請求項１乃至５のいずれか１つに記載の空気調和機の室外機において、
前記各柱部の上部の相互間と下部の相互間をそれぞれ固定するするように前記柱部の間に第３補強具が架け渡されていることを特徴とする空気調和機の室外機。
【発明の詳細な説明】
【技術分野】
【０００１】
本発明は、送風ファンを取り付けるためのファン支持台を有する空気調和機の室外機に関するものである。
【背景技術】
【０００２】
空気調和機では、室外に設置される室外機と室内に設置される室内機を冷媒配管を介して結合することで冷凍サイクルが構成されている。室外機の内部は、筐体の底面板に取り付けられた仕切板によって、圧縮機やアキュムレータや冷媒配管等が備えられる機械室と、熱交換器や送風ファン等が備えられる送風機室とに区画されている。送風機室内には底面板にファン支持台が立設され、そのファン支持台のモータ取付板に固定されたモータに送風ファンが軸支されている（特許文献１参照）。ファン支持台は上下方向に延びる柱部と上端が前方に曲折したアーム部を有するＬ字状に形成されており、アーム部の先端が室外機の前面を覆う前面パネルに固定されている。
【先行技術文献】
【特許文献】
【０００３】
【特許文献１】特開２０１１−９４８２７号公報
【発明の概要】
【発明が解決しようとする課題】
【０００４】
ところで、室外機の能力向上を図る場合、大型の送風ファンを使用すると室外機の上下方向の長さが長くなるため、ファン支持台も上下方向に長くなってその強度が不足し、送風ファンの振動の影響を受け易くなる。また、送風量増大のために送風ファンの回転数を増大させた場合も同様に送風ファンの振動の影響を受け易くなる。
【０００５】
本発明の目的は、ファン支持台の強度を高くすることで送風ファンの振動の影響を受け難くした空気調和機の室外機を提供することである。
【課題を解決するための手段】
【０００６】
上述した課題を解決するために、請求項１にかかる発明は、内部が送風機室と機械室に区画された筐体と、前記送風機室に配置される熱交換器と、前記送風機室内で前記熱交換器の前面に配置される送風ファンと、該送風ファンを支持するよう前記送風機室内に配置されるファン支持台と、を備えた空気調和機の室外機において、前記ファン支持台は、一対の支持柱と、該一対の支持柱の間に架け渡されるモータ取付板と、該モータ取付板に取り付けられ前記送風ファンが軸支されるモータと、前記一対の支持柱を前記熱交換器に固定する保持板と、を備え、前記各支持柱は、柱部と、該柱部の上部に円弧部を介して形成され前記保持板によって前記熱交換器の上部に固定される上アーム部と、前記柱部の下部に円弧部を介して形成され前記筐体の底面板に固定される下アーム部とを備え、
前記柱部と前記上アーム部との間に前記柱部に対して斜めとなるように第１補強具が架け渡されて固定され、前記柱部に前記柱部の長さ方向に沿って第２補強具が固定されている、ことを特徴とする。
請求項２にかかる発明は、請求項１に記載の空気調和機の室外機において、前記柱部と前記下アーム部との間に前記柱部に対して斜めとなるように前記第１補強具と同一形状の別の第１補強具が架け渡されて固定されていることを特徴とする。
請求項３にかかる発明は、請求項１又は２に記載の空気調和機の室外機において、前記第１補強具は両端に位置決め部を有する長尺形状に形成され、前記支持柱に前記第１補強具の前記位置決め部に対応した位置決め受部が形成されていることを特徴とする。
請求項４にかかる発明は、請求項１乃至３のいずれか１つに記載の空気調和機の室外機において、前記支持柱の前記柱部と前記第２補強具は、平面部と該平面部の両側から同じ方向に立ち上がる立面部を有し、前記支持柱の前記柱部の前記平面部と前記第２補強具の前記平面部の一方に開口が形成され、他方に該開口に係合する切り起し爪が形成され、前記切り起し片が前記開口に係合することで前記支持柱の平面部と前記第２補強具の平面部が互いに接合することを特徴する。
請求項５にかかる発明は、請求項４に記載の空気調和機の室外機において、１組とした前記開口と前記切り起し爪は、互いに離れた位置に複数組が形成されていることを特徴とする。
請求項６にかかる発明は、請求項１乃至５のいずれか１つに記載の空気調和機の室外機において、前記各柱部の上部の相互間と下部の相互間をそれぞれ固定するするように前記柱部の間に第３補強具が架け渡されていることを特徴とする。
【発明の効果】
【０００７】
本発明によれば、支持柱が第１補強具と第２補強具に補強されるので、ファン支持台の強度が高くなって送風ファンの振動の影響を受けに難くなる。
【図面の簡単な説明】
【０００８】
【図１】本発明の実施例の室外機の前面側斜視図である。
【図２】同室外機の背面側斜視図である。
【図３】同室外機の送風機室の内部構造を示す斜視図である。
【図４】同外機の送風機室の内部構造の一部分解の斜視図である。
【図５】同室外機のファン支持台の支持柱と第１補強具と第２補強具と第３補強具の説明図である。
【図６】同室外機のファン支持台の上アーム部の近辺の側面図である。
【図７】同室外機のファン支持台の一部分解の正面斜視図である。
【図８】同室外機のファン支持台の一部分解の背面斜視図である。
【発明を実施するための形態】
【０００９】
以下、本発明の１つの実施例の室外機１００について説明する。図１では室外機１００の前面右角部を一部切欠いて機械室４００の一部内部構造を露出させている。図２は室外機１００の背面側を示している。室外機１００は、直方体形状の筐体２００で囲まれている。なお以下では、筐体２００において、上面側を上面または上方、上面の対面を下面または下方、後述する吹出口２０２のある面を前面または前方、前面の対面を背面側または後方、後述する外気取込口２１５のある面を右側面または右方、右側面の対面を左側面または左方として説明する。各部品においても同様である。
【００１０】
筐体２００の外郭は鋼板等で形成され、前面と左側面は前面パネル２０１で覆われている。前面パネル２０１の前面の上下２箇所には円形に開口された吹出口２０２が設けられている。この吹出口２０２は線材を加工したファンガード２０３で覆われて保護されている。また、前面パネル２０１の左側面には、図２に示すように、横５個×縦８個の長方形状の孔からなる側面吸込口２０４が設けられている。
【００１１】
筐体２００の前面の右側と右側面の前面の下部は着脱可能な配管カバー２０５で覆われ、上部は着脱可能なサービスパネル２０６で覆われている。さらに、この筐体２００の右側面の背面側と背面の一部までは、背面パネル２０８で覆われている。背面パネル２０８の右側面の下部には、後述する電装品ユニット４０１に外気を取り込むための複数の外気取込口２１５が設けられている。
【００１２】
前面パネル２０１と配管カバー２０５と背面パネル２０８は、筐体２００の底面となる底面板２０９にネジ止めによって組み付けられている。この底面板２０９には筐体２００を支える脚２１０が取り付けられている。前面パネル２０１とサービスパネル２０６と背面パネル２０８の上端は、天面板２１１にネジ止めにより組み付けられている。
【００１３】
筐体２００の内部は、鋼板製の仕切板２１２によって前面パネル２０１側の送風機室３００とサービスパネル２０６側の機械室４００とに区画されている。この仕切板２１２は、底面板２０９に立設され、前面パネル２０１の右端にネジ止めされ、筐体２００の側面に平行となっている。
【００１４】
送風機室３００には、図３に示すように、左側面から背面に沿って曲折した上面視でＬ字形状の熱交換器３１０と、その熱交換器３１０の前方に位置するプロペラファン型の２台の送風ファン３２０が配置されている。熱交換器３１０は、並列した複数枚のフィン３１１と、そのフィン３１１に直交するように蛇行状に折返して配設された伝熱管３１２とを有する。２個の送風ファン３２０は前面パネル２０１の２個の上下の吹出口２０２に対面している。２個の送風ファン３２０は、底面板２０９に立設した後記するファン支持台５００に取り付けられた２個のモータ５１０にそれぞれ軸支されている。
【００１５】
機械室４００には、図１に示すように、電装品ユニット４０１が取り付けられ、またアキュムレータ４０２、圧縮機４０３、四方弁４０４、冷媒配管４０５、膨張弁４０６等の冷媒回路構成部品とケーブル４０７が配置されている。
【００１６】
筐体２００の背面側には、図２に示すように、背面パネル２０８の側端と前面パネル２０１の側端との間に、送風機室４００に外気を取り入れるための背面吸込ロ２１３が設けられ、その背面吸込口２１３から熱交換器３１０が露出している。背面吸込口２１３は保護線材２１４によって保護されている。
【００１７】
図４は図３のファン支持台５００を一部分解した図である。ファン支持台５００は、出力軸５１１にそれぞれ送風ファン３２０が取り付けられる２個のモータ５１０と、各モータ５１０が取り付けられる２個のモータ取付板５２０と、２個のモータ取付板５２０が架け渡される一対の支持柱５３０と、各支持柱５３０の上端に固定される保持板５４０と、各支持柱５３０の柱部５３１と後記する上アーム部５３２の間のコーナーの補強と柱部５３１と後記する下アーム部５３３の間のコーナーの補強のための４個の第１補強具５５０と、各支持柱５３０の柱部５３１を補強する２個の第２補強具５６０と、各支持柱５３０の上部の相互間と下部の相互間をそれぞれ連結する２個の第３補強具５７０を有する。
【００１８】
モータ取付板５２０は鋼板製であり、モータ５１０が取り付けられる中央板５２１と、その中央板５２１の左右両側から同じ方向に曲折されたフランジ５２２を備える。そして、モータ取付板５２０の両側のフランジ５２２が、一対の支持柱５３０の各柱部５３１と一対の第２補強具５６０を挟むようにその各柱部５３１の間に架け渡される。このときモータ取付板５２０は、そのフランジ５２２が柱部５３１にネジで固着される。
【００１９】
支持柱５３０も鋼板製であり、図５に示すように、長さ方向に伸びる平面部５３０ａと、その平面部５３０ａの両側を同じ方向に直角に曲げた立面部５３０ｂを有する。そして、支持柱５３０の中央部は長尺の柱部５３１に形成され、その柱部５３１の上部と下部には、立面部５３０ｂに平行な方向に半径約１００ｍｍの円弧部Ｒによってほぼ９０度だけそれぞれ曲折させた上アーム部５３２と下アーム部５３３が形成されている。支持柱５３０は一対として、図４、図７、図８に示すように、モータ取付板５２０の左右幅に合わせた間隔を設けて平行に並べられている。一対の支持柱５３０の柱部５３１の上部５３１ａの相互間と下部５３１ｂの相互間にはそれぞれ第３補強具５７０が架け渡される。また、一対の支持柱５３０の柱部５３１の中央部の相互間には２個のモータ取付板５２０が架け渡される。
【００２０】
そして、一対の支持柱５３０のそれぞれの下アーム部５３３は、図３、図４に示すように、底面板２０９にネジ止めにより固定されることで、筐体２００に固定される。
【００２１】
保持板５４０も鋼板製であり、一対の支持柱５３０のそれぞれの上アーム部５３２を熱交換器３１０に固定する。この保持板５４０は、図４に示すように、平面部５４１と、平面部５４１の前端から下方に曲折した前面フランジ５４２と、両側端から下方に曲折した側面フランジ５４３を備える。側面フランジ５４３の後端側には、熱交換器３１０の幅に合わせた長さの切欠部５４３ａが形成されている。
【００２２】
保持板５４０は、平面部５４１を一対の上アーム部５３２に跨るように配置してネジ止めし、切欠部５４３ａを熱交換器３１０の上端にはめ込むことで、熱交換器３１０に取り付けられる。そして保持板５４０の前面フランジ５４２を前面パネル２０１にネジ止めにより固定することで、一対の支持柱５３０の各上アーム部５３２が筐体２００に固定される。
【００２３】
第１補強具５５０も鋼板製であり、支持柱５３０の上アーム部５３２と柱部５３１の間、下アーム部５３３と柱部５３１の間に、それぞれ柱部５３１に斜めになるように架け渡され固定される。第１補強具５５０は、図５に示すように、柱部５３１の立面部５３０ｂの幅と等しい幅で長尺形状の平面部５５１と、その平面部５５１の両側を同じ方向に折り曲げたフランジ５５２を備えている。第１補強具５５０の長さは円弧部Ｒの端部Ｒ１の外側（円弧部Ｒと反対側）と端部Ｒ２の外側（円弧部Ｒと反対側）に架け渡す長さとなっている。第１補強具５５０の両先端には位置決め部５５３が形成されている。この位置決め部５５３は位置決め爪５５３ａとその近傍に形成された通孔５５３ｂを有する。
【００２４】
第１補強具５５０の位置決め部５５３に対応して、支持柱５３０の柱部５３１と下アーム部５３３の立面部５３０ｂにおいては、図５に示すように、第１補強具５５０の位置決め部５５３に向き合う位置に位置決め受部５３４が形成されている。この位置決め受部５３４は、円弧部Ｒの端部Ｒ１の外側と端部Ｒ２の外側とに形成されている。この位置決め受部５３４は、第１補強具５５０の位置決め爪５５３ａに対応する位置決め孔５３４ａと、通孔５５３ｂに対応するネジ孔５３４ｂを有する。上アーム部５３２と柱部５３１の上部においても、位置決め受部５３４と同様の構造が形成されている。
【００２５】
第１補強具５５０の下アーム部５３３への取り付けは、第１補強具５５０の両端の位置決め爪５５３ａを、下アーム部５３３と柱部５３１の位置決め孔５３４ａにそれぞれ嵌め込むと第１補強具５５０の仮り止めができるので、その状態でネジＢ１を通孔５５３ｂからネジ穴５３４ｂに螺合して行う。上アーム部５３２においても、同様にして第１補強具５５０を取り付ける。
【００２６】
以上により、図５に示すように、上アーム部５３２側においては、円弧部Ｒの上アーム部５３２側の端部Ｒ１の外側と柱部５３１側の端部Ｒ２の外側との間に第１補強具５５０が架け渡される。下アーム部５３３側においても、円弧部Ｒの下アーム部５３３側の端部Ｒ１の外側と柱部５３１側の端部Ｒ２の外側との間に第１補強具５５０が架け渡される。以上の結果、上アーム部５３２の側の第１補強具５５０と下アーム部５３３の側の第１補強具５５０は、その向きが９０度異なった状態で架け渡される。
【００２７】
第２補強具５６０も鋼板製であり、支持柱５３０の柱部５３１を補強する。この第２補強具５６０は、図７に示すように、長さ方向に伸びた平面部５６０ａと、その平面部５６０ａの両側を同じ方向に直角に曲げた立面部５６０ｂを有する。この第２補強具５６０の上下方向の長さは、支持柱５３０の柱部５３１の上アーム部５３２側の円弧部Ｒの端部Ｒ２と下アーム部５３３側の円弧部Ｒの端部Ｒ２との間の長さ程度でも良いが、重量増大により慣性を大きくするためにはそれりも長い方が好ましい（図５参照）。なお、その長さの最大値は、支持柱５３０の上下方向の全体長さよりも短くなるよう設定されている。
【００２８】
そして、この第２補強具５６０の上部には、両側の立面部５６０ｂから平面部５６０ａの一部にかけて第３補強具５７０を装着するための開口５６１が形成され、下部にも両側の立面部５６０ｂから平面部５６０ａの一部にかけて別の第３補強具５７０を装着するための開口５６２が形成されている。また、上部の開口５６１の下部には、支持柱５３０の柱部５３１の平面部５３０ａに形成された開口５３０ａ１に係合させるための下向きの切起爪５６３が形成されている。下部の開口５６２の上部にも、支持柱５３０の柱部５３１の平面部５３０ａに形成された開口５３０ａ２に係合する下向きの切起爪５６４が形成されている。
【００２９】
この第２補強具５６０の支持柱５３０への取り付けは、上部の切起爪５６３が柱部５３１の開口５３０ａ１に係合し、下部の切起爪５６４が柱部５３１の開口５３０ａ２に係合するように配置する。これにより、第２補強具５６０の平面部５６０ａが支持柱５３０の平面部５３０ａと直接接するように接合され、第２補強具５６０が支持柱５３０に対して仮り止めされる。このとき、支持柱５３０の平面部５３０ａの通孔５３０ａ３が第２補強部５６０の平面部５６０ａのネジ穴５６０ａ１に合致するので、この状態で図７に示すように、ビスＢ２を通孔５３０ａ３に挿通してネジ穴５６０ａ１に螺合すれば、支持柱５３０に第２補強具５６０が一体的に固定される。
【００３０】
第３補強具５７０も鋼板製であり、図８の右下に示すように、長尺形状の平板部５７１と、その平板部５７１の上下端を同じ方向に曲折したフランジ５７２と、平板部５７１の両端近くを切り起して形成された２個のストッパ５７３を有する。ストッパ５７３は、フランジ５７２の折曲方向と反対側に、そのフランジ５７２と直交する向きに形成されている。５７１ａは平板部７５１の各隅部分に形成されたネジ穴であり、４個形成されている。そして、この第３補強部５７０は、フランジ５７２とストッパ５７３を含む縦断面形状が第２補強具５６０の上下の開口５６１，５６２に横から挿通可能な大きさに形成され、ストッパ５７３の間隔が、平行に並べた１対の支持柱５３０の内側の間隔に対応している。
【００３１】
この第３補強具５７０の支持柱５３０の上部への取り付けは、一対の支持柱５３０に固定された一対の第２補強具５６０の上部の開口５６１の間に、その第３補強具５７０を挿通して架け渡す。この挿通は、ストッパ５７３の側が第２補強具５６０の平面部５６０ａの側となるようにして行う。そして、第３補強具５７０を一対の第２補強具５６０の平面部５６０ａの方向に押し当てて、図８の右上に示すように、第３補強具５７０のストッパ５７３が支持柱５３０の内側の立面部５３０ｂ１の外側に当接するよう位置決めする。そして、この後に、ビスＢ３を、支持柱５３０の平面部５３０ａの通孔５３０ａ４から第２補強具５６０の通孔５６０ａ２を経由して第３補強具５７０のネジ孔５７１ａにネジ止めすれば、支持柱５３０、第２補強具５６０、及び第３補強具５７０がそのビスＢ３によって共締めされる。よって、これを一対の柱部５３１の両側において行えば、一対の柱部５３１の上部が相互に連結され固定される。第３補強具５７０の支持柱５３０の下部への取り付けも、一対の第２補強具５６０の下部の開口５６２の間に同様に挿通して取り付けることで、一対の柱部５３１の下部も相互に連結され固定される。なお、ストッパ５７３は位置決め用であり、一方のみに形成しただけでも良い。
【００３２】
以上説明したファン支持台５００の組み立て順序は、まず一対の各支持柱５３０に合計で４個の第１補強具５５０を固定し、次に一対の支持柱５３０の各柱部５３１に第２補強具５６０をそれぞれ固定し、最後に一対の第２補強具５６０の間の上部の開口５６１と下部の開口５６２にそれぞれ第３補強具５７０を架け渡して支持柱５３０と第２補強具５６０に固定する。これによりファン支持台５００は１対の支持柱５３０が平行に並ぶ形に組み立てられるので、次に２個のモータ取付板５２０を１対の支持柱５３０の間にそれぞれ取り付け、その各モータ取付板５２０にモータ５１０をそれぞれ取り付ける。これにより、ファン支持台５００の全体が組み立てられるので、そのファン支持台５００を上アーム部５３２が上となり下アーム部５３３が下となるような姿勢にして、下アーム部５３３を底面板２０９にネジ止めし、上アーム部５３２を保持板５４０を介して熱交換器３１０に位置付ける。最後に各モータ５１０にそれぞれ送風ファン３２０を取り付ける。
【００３３】
さて、空気調和機は、その運転時にモータ５１０により送風ファン３２０が回転することで振動が発生する。この振動は送風ファン３２０を軸支するモータ５１０からモータ取付板５２０に伝わり、モータ取付板５２０を支える支持柱５３０に伝わる。支持柱５３０の上アーム部５３２と下アーム部５３３は、支持柱５３０の円弧部Ｒを経由して片持ち構造で前方に突き出ていることから、柱部５３１から円弧部Ｒを経由して振動が伝わると、それら上アーム部５３２と下アーム部５３３は先端に近づくほど振動の幅が大きくなる。一方で各支持柱５３０の上アーム部５３２はそれぞれ保持板５４０に固定され、下アーム部５３３はそれぞれ底面板２０９に固定されていため、柱部５３１と上アーム部５３２の間及び柱部５３１と下アーム部５３３の間に、それぞれねじれが発生して騒音が生じる。このねじれは、主に円弧部Ｒの柱部５３１との付け根となる端部Ｒ２で発生することで、長期運転によりこの部分に金属疲労が生じる。
【００３４】
これに対して本実施例では、第１補強具５５０が、柱部５３１と上アーム部５３２及び柱部５３１と下アーム部５３３の間に発生するねじれ量を抑制する。この第１補強具５５０は、円弧部Ｒの端部Ｒ１の外側と端部Ｒ２の外側の間に固定されているので、ねじれを抑える効果を発揮できる。支持柱５３０の柱部５３１側への第１補強具５５０の固定位置は、柱部５３１の中央寄り、つまり端部Ｒ２から遠ざかる側に設けることが好ましい。ただこの場合、第１補強具５５０が送風ファン３２０に接触しないように、図６に示すように、第１補強具５５０が送風ファン３２０から離れる距離Ｇを残すようにする。
【００３５】
なお、支持柱５３０の下アーム部５３３は、筐体２００の底面板２０９に強固にネジ止めされることから、上アーム部５３２に比べて振動が少ないので、第１補強具５５０を上アーム部５３２と柱部５３１の間に設けるだけで、ねじれの繰り返しによる振動を抑制できる場合もある。
【００３６】
また、送風ファン３２０が大型化すると支持柱５３０の柱部５３１が長くなり、その柱部５３１の強度が低下するが、本実施例ではその柱部５３１の平面部５３０ａの裏側に、第２補強具５６０の平面部５６０ａを背合わせで一体的に固定することで、その強度を高めている。そして、柱部５３１が前後方向に振動するとき、両方の平面部５３０ａ，５６０ａが対面していることで、その前後振動を抑制できる。このとき、図５に示すように、第２補強具５６０の上端５６５は上アーム部５３２の円弧部Ｒの端部Ｒ２よりも上方に突出し、第２補強具５６０の下端５６６も下アーム部６３３の円弧部Ｒの端部Ｒ２よりも下方に突出する程度に、その第２補強具５６０の長さを設定しているので、それら突出する分だけ第２補強具５６０の重量を増大させることで慣性を大きくすることができ、強度増大に加えて防振効果も大きくなる。
【００３７】
また、並行に並べた一対の支持柱５３０は、上部が上アーム部５３２によって保持板５４０を介して熱交換器３１０に固定され、下部が下アーム部５３３によって筐体２００の底面板２０９に固定され、柱部５３１の中央部分がモータ取付板５２０によって連結され相互に固定される。しかし、このままでは、一対の柱部５３１の上部と下部は、相互間では何ら連結されないので、振動に対して弱い。
【００３８】
そこで本実施例では、一対の柱部５３１に固着した第２補強具５６０の両方の立面部５６０ｂに形成した上部の開口５６１の相互間及び下部の開口５６２の相互間に、それぞれ第３補強具５７０を挿通して架け渡し、その第３補強具５７０を柱部５３１と第２補強具５６０にネジＢ３で共締めで固定しているので、各柱部５３１の上部と下部が固定され、一対の上アーム部５３２が互いに異なった動きをしてねじれたり、一対の下アーム部５３３が互いに異なった動きをしてねじれたりすることを防止でき、防振効果が大きくなる。
【００３９】
最後に、以上のように支持柱５３０は、第１補強具５５０、第２補強具５６０、第３補強具５７０、並びにモータ取付板５２０によって補強され、筐体２００の底面板２０９と保持板５４０に取り付けられるので、これら全体が外部から受ける振動に対して強化される。つまり、これら全体の固有振動数をモータ５１０の回転による最高振動数よりも高くすることができ、モータ５１０の回転振動によってファン支持台５００に振動が発生することを防止することができる。
【符号の説明】
【００４０】
１００：室外機
２００：筐体、２０１：前面パネル、２０２：吹出口、２０３：ファンガード、２０４：側面吸込口、２０５：配管カバー、２０６：サービスパネル、２０８：背面パネル、２０９：底面板、２１０：脚、２１１：天面板、２１２：仕切板
３００：送風機室、３１０：熱交換器、３１１:フィン、３１２：伝熱管、３２０：送風ファン
４００：機械室、４０１：電装品ユニット、４０２：アキュムレータ、４０３：圧縮機、４０４：四方弁、４０５：冷媒配管、４０６：膨張弁、４０７：ケーブル
５００：ファン支持台、５１０：モータ、５２０：モータ取付板、５３０：支持柱、５３１：柱部、５３２：上アーム部、５３３：下アーム部、５４０：保持板、５５０：第１補強具、５６０：第２補強具、５７０：第３補強具
【図１】
2019148365.tif 000003
【図２】
2019148365.tif 000004
【図３】
2019148365.tif 000005
【図４】
2019148365.tif 000006
【図５】
2019148365.tif 000007
【図６】
2019148365.tif 000008
【図７】
2019148365.tif 000009
【図８】
2019148365.tif 000010